(57)【要約】【課題】揚重手段の吊点を建屋梁よりも高い位置とすることできる揚重用吊点装置の提供。【解決手段】建屋の天井部近傍にこの天井部とほぼ平行に延設される建屋梁６に設けられ、揚重手段、例えばチェンブロック７が取付けられる吊点となる揚重用吊点装置において、建屋梁６の底面に着脱自在に取付けられるベースブラケット１ａ、１ｂと、このベースブラケット１ａ、１ｂから天井部に向けて立設される吊点保持ブラケット２ａ、２ｂと、この吊点保持ブラケット２ａ、２ｂの上部に取付けられ建屋天井部近傍に吊点を形成する吊点部材４ａとを備えた構成にしてある。【選択図】図１
2006213510.tif 000002
【特許請求の範囲】
【請求項１】
建屋の天井部近傍にこの天井部とほぼ平行に延設される建屋梁に設けられ、揚重手段が取付けられる吊点となる揚重用吊点装置において、
前記建屋梁の底面に着脱自在に取付けられるベースブラケットと、このベースブラケットから前記天井部に向けて立設される吊点保持ブラケットと、この吊点保持ブラケットの上部に取付けられ前記建屋天井部近傍に吊点を形成する吊点部材とを備えたことを特徴とする揚重用吊点装置。
【請求項２】
前記ベースブラケットは、前記建屋梁底面の両側縁部を挟圧保持する締結具により着脱自在に取付けられることを特徴とする請求項１記載の揚重用吊点装置。
【請求項３】
前記ベースブラケットに吊点を形成する他の吊点部材が備えられることを特徴とする請求項１記載の揚重用吊点装置。
【発明の詳細な説明】
【技術分野】
【０００１】
本発明は、揚重用吊点装置に係り、特に、エレベータ機械室でのメンテナンス時に重量物を揚重する際に用いられる揚重用吊点装置に関する。
【背景技術】
【０００２】
溶接やガス切断などの熱を伴う作業を用いず簡単かつ安全に建屋梁に着脱自在に取付けうる揚重用吊点装置として、建屋梁のフランジの一方の側に係合するスリットを有する２枚の第１フックプレ―トと、フランジの他方の側に係合するスリットを有し、その下部が前記２枚の第１フックプレ―トの下部の間に挟まれる第２フックプレ―トと、前記３枚のフックプレ―トの重なる部位の上部に貫通されるピンと、前記重なる部位の下部に貫通されるピンを備えたシャックルとからなる簡易クランプが知られている（例えば、特許文献１参照）。
【特許文献１】実開平５−３００７１（段落番号０００７〜０００８、第１図）
【発明の開示】
【発明が解決しようとする課題】
【０００３】
しかしながら、前述した従来の簡易クランプでは、チェンブロック等の揚重手段を取付ける吊点が建屋梁よりも低い位置となってしまうため、揚重対象物が建屋梁に近い場合に吊り代が確保できないという問題がある。
【０００４】
本発明は、前述した従来技術における実状からなされたもので、その目的は、揚重手段の吊点を建屋梁よりも高い位置とすることできる揚重用吊点装置を提供することにある。
【課題を解決するための手段】
【０００５】
前記目的を達成するために、本発明の請求項１に係る発明は、建屋の天井部近傍にこの天井部とほぼ平行に延設される建屋梁に設けられ、揚重手段が取付けられる吊点となる揚重用吊点装置において、前記建屋梁の底面に着脱自在に取付けられるベースブラケットと、このベースブラケットから前記天井部に向けて立設される吊点保持ブラケットと、この吊点保持ブラケットの上部に取付けられ前記建屋天井部近傍に吊点を形成する吊点部材とを備えたことを特徴としている。
【０００６】
このように構成した本発明の請求項１に係る発明では、建屋梁の底面に取付けられるベースブラケットから天井部に向けて立設される吊点保持ブラケットに吊点を形成する吊点部材を備えることにより、揚重手段の吊点を建屋梁よりも高い位置とすることができる。
【０００７】
また、請求項２に係る発明は、前記ベースブラケットは、前記建屋梁底面の両側縁部を挟圧保持する締結具により着脱自在に取付けられることを特徴としている。
【０００８】
このように構成した本発明の請求項２に係る発明では、締結具を建屋梁に狭圧保持させることによりベースブラケットが取付可能であることから、建屋梁に一切の加工を行うことを要せずに揚重用の吊点を設けることができるとともに、取付け取外しが容易であり、かつ汎用性に優れている。
【０００９】
さらに、請求項３に係る発明は、前記ベースブラケットに吊点を形成する他の吊点部材が備えられることを特徴としている。
【００１０】
このように構成した本発明の請求項３に係る発明では、ベースブラケットに吊点となる他の吊点部材を追設することにより、前述した吊点保持ブラケットに取付けられる吊点部材のように吊り代を稼ぐことはできないものの、揚重手段が取付けられる吊点を複数として、複数の揚重手段を平行して使用可能とすることができる。
【発明の効果】
【００１１】
本発明によれば、揚重手段の吊点を建屋梁よりも高い位置とすることにより、揚重対象物が建屋梁に近い場合でも吊り代を確保することができ、揚重作業の作業性および効率の向上を図ることができる。
【００１２】
また、ベースブラケットに吊点となる他の吊点部材を設けることにより、複数の揚重手段を平行して使用可能とし、揚重作業の効率をより向上させることができる。
【発明を実施するための最良の形態】
【００１３】
以下、本発明に係る揚重用吊点装置の実施の形態を図に基づいて説明する。
【００１４】
図１は本発明の揚重用吊点装置の一実施形態を示す全体構成斜視図、図２は揚重用吊点装置の側面図である。
【００１５】
本実施形態の揚重用吊点装置は図１、２に示すように、建屋梁６の底面に着脱自在に取付けられるベースブラケット１ａ、１ｂと、ベースブラケット１ａ、１ｂの一方の端部に取付けられ上側方向に向って立設される吊点保持ブラケット２ａ、２ｂと、互いに対向する一対のベースブラケット１ａ、１ｂおよび互いに対向する一対の吊点保持ブラケット２ａ、２ｂをそれぞれ平行に連結固定する連結ブラケット３ａ、３ｂと、吊点保持ブラケット２ａ、２ｂの上部に取付けられ建屋天井部近傍に吊点を形成する吊点部材４ａと、ベースブラケット１ａ、１ｂの中央部に吊点を形成する他の吊点部材４ｂと、ベースブラケット１ａ、１ｂの他方の端部に吊点を形成する他の吊点部材４ｃと、ベースブラケット１ａ、１ｂに取付けられ建屋梁６底面の両側縁部を挟圧保持する締結具５とを有して成っている。
【００１６】
次に、本実施形態の揚重用吊点装置を建屋天井８に取付けられた建屋梁６に設置した場合のチェンブロック７の設置状態について説明する。該揚重用吊点装置を締結具５により建屋梁６の底部に取付けると、吊点部材４ａの位置は建屋梁６の底部より上方となり、吊点部材４ａに揚重手段、すなわちチェンブロック７を取付けることによって建屋天井８に近い位置を吊点とすることができる。また、該揚重用吊点装置には前述した吊点部材４ａ以外に、他の吊点部材４ｂ、４ｃが設けられているとともに、それぞれの吊点部材４ａ、４ｂ、４ｃには所定の幅があるため、図示しない複数のチェンブロックを平行して使用して作業することも可能である。
【００１７】
このように構成した本実施形態の揚重用吊点装置によれば、チェンブロック７の吊点を建屋梁６よりも高い位置とすることにより、揚重対象物が建屋梁６に近い場合でも吊り代を確保することができ、揚重作業の作業性および効率の向上を図ることができる。また、揚重用吊点装置はベースブラケット１ａ、１ｂに設置されている締結具５により、建屋天井部８の建屋梁６底部に狭圧保持されているだけなので、建屋梁６に一切の加工を行うことを要せずに揚重用の吊点を設けることができるとともに、取付け取外しが容易であり、かつ汎用性に優れている。さらに、ベースブラケット１ａ、１ｂに吊点となる他の吊点部材４ｂ、４ｃを設けることにより、複数の揚重手段を平行して使用可能とし、揚重作業の効率をより向上させることができる。
【００１８】
なお、本発明の範囲は、前述した実施形態に限定されるものではなく、本発明の範囲内で多くの修正および変更可能であることは勿論である。例えば、ベースブラケット１ａ、１ｂの長さ寸法を揚重対象の重さに合わせて任意に設定しても良い。また、吊点保持ブラケット２ａ、２ｂをベースブラケット１ａ、１ｂの両端に設置しても良いし、吊点部材４ａ、４ｂ、４ｃの個数も任意のものとして良い。さらに、連結ブラケット３ａ、３ｂの長さ寸法、すなわちベースブラケット１ａ、１ｂ間の間隔も任意に設定して良い。
【図面の簡単な説明】
【００１９】
【図１】本発明の揚重用吊点装置の一実施形態を示す全体構成斜視図である。
【図２】揚重用吊点装置の側面図である。
【符号の説明】
【００２０】
１ａ、１ｂ  ベースブラケット
２ａ、２ｂ  吊点保持ブラケット
３ａ、３ｂ  連結ブラケット
４ａ  吊点部材
４ｂ、４ｃ  他の吊点部材
５  締結具
６  建屋梁
７  チェンブロック
８  建屋天井
【図１】
2006213510.tif 000003
【図２】
2006213510.tif 000004